(57)【特許請求の範囲】
【請求項１】
内側に突出したレンズ座部を備える遮光性の鏡胴と、
前記レンズ座部に光硬化性樹脂で光軸方向に接着した第１接着部を設けた第１透光性部材と、
第２透光性部材を保持し、前記第１透光性部材に光軸方向に重ねられ、前記第１透光性部材に光硬化性樹脂で光軸方向に接着した第２接着部を設けた遮光性の保持枠とを有し、
前記第１接着部および前記第２接着部の少なくともいずれかは、前記鏡胴に設けた投光穴を介して外側から望むことができる前記第１透光性部材の前記光軸に直角な方向の端面に隣接する部分に設けたことを特徴とする鏡胴ユニット。
【請求項２】
前記投光穴を封止する遮光性の封止部材を有することを特徴とする請求項１に記載の鏡胴ユニット。
【請求項３】
前記遮光性部材に第２透光性部材が固定されていることを特徴とする請求項１または２に記載の鏡胴ユニット。
【請求項４】
請求項１から３のいずれかに記載の鏡胴ユニットを有することを特徴とする撮像装置。
【請求項５】
遮光性の鏡胴の内側に突出したレンズ座部に第１透光性部材を光軸方向に固定し、前記第１透光性部材に第２透光性部材を保持する遮光性の保持枠を光軸方向に重ねて固定した鏡胴ユニットの組立方法であって、
前記鏡胴に、前記第１透光性部材の前記光軸に直角な方向の端面の一部分を外側から望むことができる投光穴を設け、
前記レンズ座部と前記第１透光性部材との間、または、前記第１透光性部材と前記保持枠との間に光硬化性樹脂を塗布し、
前記第１透光性部材の軸または前記第２透光性部材の軸を前記光軸に一致させるように前記保持枠を調芯し、
前記投光穴から前記第１透光性部材の端面に光線を照射して、前記第１透光性部材を透過した前記光線により前記光硬化性樹脂を硬化させることを特徴とする鏡胴ユニットの組立方法。
【請求項６】
前記レンズ座部に、前記光硬化性樹脂を塗布してから、前記第１透光性部材を前記光軸方向に重ねて配置し、前記第１透光性部材を通して前記光線を照射して前記レンズ座部と前記第１透光性部材との間の前記光硬化性樹脂を硬化させ、
前記第１透光性部材の前記光軸方向反対側の面に光硬化性樹脂を塗布してから前記保持枠を前記光軸方向に重ねて配置し、前記第２透光性部材の軸を前記光軸に一致させるように前記保持枠を移動させて調芯した状態で、前記投光穴から前記第１透光性部材の端面に光線を照射して、前記第１透光性部材を透過した前記光線により前記第１透光性部材と前記保持枠との間の前記光硬化性樹脂を硬化させることを特徴とする請求項５に記載の鏡胴ユニットの組立方法。
【請求項７】
前記第１透光性部材と前記保持枠とを光硬化性樹脂を介して前記光軸方向に重ねて配置し、前記第２透光性部材の軸を前記第１透光性部材の前記軸に一致させるように前記保持枠を移動させて調芯した状態で、前記第１透光性部材と前記保持枠との間の前記光硬化性樹脂に光線を照射して、前記第１透光性部材と前記保持枠との間の前記光硬化性樹脂を硬化させ、
前記レンズ座部に、光硬化性樹脂を塗布してから、前記レンズ座部に前記第１透光性部材を載置し、前記第１透光性部材の軸を前記光軸に一致させるように前記第１透光性部材を移動させて調芯した状態で、前記投光穴から前記第１透光性部材の端面に光線を照射して、前記第１透光性部材を透過した前記光線により前記レンズ座部と前記第１透光性部材との間の前記光硬化性樹脂を硬化させることを特徴とする請求項５に記載の鏡胴ユニットの組立方法。
【発明の詳細な説明】
【技術分野】
【０００１】
本発明は、鏡胴に透光性部材を含む複数の部材を固定した鏡胴ユニットおよび撮像装置に関する。
【背景技術】
【０００２】
鏡胴ユニットは、鏡胴の内部にレンズなどの複数の光学部材が、互いに、また、撮像素子もしくはフィルム面などの結像面に対して位置および角度を適切に保つように位置決めして固定される。そのような位置決め精度は、一般的な嵌合で問題ない場合もあるが、特に、電子撮像装置などでは撮像素子の小型化や高画素化に伴い、位置調整（いわゆる調芯）を行わなければならない場合が増えている。
【０００３】
光学部材や撮像素子を微調整しながら接着剤によって鏡胴に接着するためには、光学部材や撮像素子の微調整が終了する前に接着剤が硬化しないようにする必要がある。硬化時間の長い接着剤を使用すると、光学部材や撮像素子を鏡胴に対して位置決めしたまま長時間保持する必要があり製造コストが高くなる。
【０００４】
そこで、特許文献１に記載されているように、紫外線などの光線によって硬化する光硬化性樹脂を接着剤として用いることで、光学部材や撮像素子の微調整が終了するまで接着剤を硬化させず、且つ、光学部材や撮像素子の位置決めが終わったら瞬間的に接着剤を硬化して光学部材や撮像素子を鏡胴に固定することができる。
【特許文献１】特開２００５−４５４１７号公報
【０００５】
鏡胴は、鏡胴ユニット内に所定の光軸方向以外から光が入らないようにするために、遮光性の材料で形成される。このため、遮光性の部材を鏡胴に固定するためには、特許文献１にあるように、光硬化性樹脂を鏡胴と固定する部材との接合面ではなく、接合部を覆うように肉盛りして硬化させる必要がある。この場合、鏡胴内に光硬化性樹脂を盛り付けるための空間が必要であり、鏡胴ユニットを小型にできないという問題がある。
【０００６】
また、図６に示すように、鏡胴３１のレンズ座部３２に透明なレンズ３３を固定する場合、レンズ座部３２と第１レンズ３３との光軸方向の接合面に塗布した光硬化性樹脂ｐ１を、光軸ｘ方向から紫外線Ｒを照射して、第１レンズ３３を通過した紫外線Ｒによって硬化させることができる。しかしながら、そのようにして固定した第１レンズ３３にさらに第２レンズ３４を保持する遮光性の玉枠３５を固定しようとすると、第１レンズ３３と玉枠３５と接合面に塗布した光硬化性樹脂ｐ２には、もはや、紫外線を照射することができない。このため、精度よく玉枠３５を固定するためには、鏡胴３１の径を大きくして、光硬化性樹脂ｐを肉盛りできるようにしなければならず鏡胴ユニットが大きくなるという問題があった。
【発明の開示】
【発明が解決しようとする課題】
【０００７】
前記問題点に鑑みて、本発明は、鏡胴に透光性部材と遮光性部材とを重ねて固定した小型の鏡胴ユニットおよび撮像装置を提供することを課題とする。
【課題を解決するための手段】
【０００８】
前記課題を解決するために、本発明による鏡胴ユニットは、内側に突出したレンズ座部を備える遮光性の鏡胴と、前記レンズ座部に光硬化性樹脂で光軸方向に接着した第１接着部を設けた第１透光性部材と、第２透光性部材を保持し、前記第１透光性部材に光軸方向に重ねられ、前記第１透光性部材に光硬化性樹脂で光軸方向に接着した第２接着部を設けた遮光性の保持枠とを有し、前記第１接着部および前記第２接着部の少なくともいずれかは、前記鏡胴に設けた投光穴を介して外側から望むことができる前記第１透光性部材の前記光軸に直角な方向の端面に隣接する部分に設けたものとする。
【０００９】
この構成によれば、第１透光性部材の端面から光を照射することで第１透光性部材を透過した光により光硬化性樹脂を硬化させられるので、遮光性部材を接着した第１透光性部材を鏡胴に対して、または、鏡胴に接着した第１透光性部材に対して遮光性部材を光硬化性樹脂で接着できる。このため、鏡胴ユニットを大きくすることなく、第１透光性部材および遮光性部材を鏡胴に対して調芯して精度よく固定することができる。
【００１０】
また、本発明の鏡胴ユニットは、前記投光穴を封止する遮光性の封止部材を有してもよい。これによって、光路内に余計な光が侵入しない。
【００１１】
また、本発明の鏡胴ユニットにおいて、前記遮光性部材は、第２透光性部材が固定されていてもよい。これによって、第２透光性部材を精度よく位置決めして固定できる。
【００１２】
また、前記鏡胴ユニットを有する撮像装置は、小型で高精度でありながら安価に提供できる。
【００１３】
また、本発明によれば、遮光性の鏡胴の内側に突出したレンズ座部に第１透光性部材を光軸方向に固定し、前記第１透光性部材に第２透光性部材を保持する遮光性の保持枠を光軸方向に重ねて固定した鏡胴ユニットの組立方法は、前記鏡胴に、前記第１透光性部材の前記光軸に直角な方向の端面の一部分を外側から望むことができる投光穴を設け、前記レンズ座部と前記第１透光性部材との間、または、前記第１透光性部材と前記保持枠との間に光硬化性樹脂を塗布し、前記第１透光性部材の軸または前記第２透光性部材の軸を前記光軸に一致させるように前記保持枠を調芯し、前記投光穴から前記第１透光性部材の端面に光線を照射して、前記第１透光性部材を透過した前記光線により前記光硬化性樹脂を硬化させる方法とする。レンズ座部に接着した第１透光性部材に保持枠を接着してもよく、保持枠を予め接着した第１透光性部材をレンズ座部に接着してもよい。
【００１４】
この方法によれば、第１透光性部材および遮光性部材を鏡胴に対して調芯した状態で、投光穴から光線を照射して光硬化性樹脂を硬化させられるので、鏡胴ユニットに第１透光性部材および遮光性部材を精度よく固定することができる。
【発明の効果】
【００１５】
本発明によれば、鏡胴に、外側から第１透明部材の端面の少なくとも一部分を望むことができる投光穴を設けたので、第１透明部材の端面から接着面の光硬化性樹脂に光を照射して硬化させられる。このため、当接面に対して光軸方向に光を照射できなくても鏡胴と第１透光性部材とを、または、第１透光性部材と遮光性部材とを精度よく固定することができる。
【発明を実施するための最良の形態】
【００１６】
これより、本発明の実施形態について、図面を参照しながら説明する。
図１に、本発明の第１実施形態のデジタルカメラ（撮像装置）１を示す。デジタルカメラ１は、本体２の前面に、フラッシュ３、ファインダ４、レンズ開口５が設けられており、本体２の内部に、レンズ開口５から被写体を望むように鏡胴ユニット６が設けられている。
【００１７】
図２は、デジタルカメラ１の鏡胴ユニット６部分での縦方向の断面である。鏡胴ユニット６は、被写体から入射する光の光軸ｘを９０°折り曲げる屈曲光学系を構成しており、光軸ｘ方向に被写体側（上側）の第１鏡胴７と、中間の第２鏡胴８と、結像面側（下側）の第３鏡胴９とを一体に固定してなる。
【００１８】
第１鏡胴７内には、被写体から入射した光を９０°折り曲げる光学部材を含む第１レンズ群１０と、光軸ｘに沿って上下に移動可能な変倍レンズである第２レンズ群１１とが設けられている。第１鏡胴７と第２鏡胴８との継ぎ目部分に設けられた隙間には、シャッタユニット１２が固定されている。
【００１９】
第３鏡胴９の内部には、シャッタユニット１２を通過した光が入射する第３レンズ群１３と、第３鏡胴９の内部で光軸ｘ方向に移動可能な第４レンズ群１４と、さらに下側に第５レンズ群１５と、第５レンズ群１５を通過した光の高周波成分を遮断するローパスフィルタ１６と、ローパスフィルタ１６を通過した光が結像する結像面を有する撮像素子１７とが設けられている。撮像素子１７は、結像面に結像した画像を電気信号に変換するＣＣＤであり、撮像素子１７に配線する配線基板であるフレキシブル基板１８と、撮像素子１７の熱を奪い、周囲の空気中に放散させる放熱部材１９とが接着され、押さえ部材２０によって第３鏡胴９の下端に固定されている。
【００２０】
図３に第３鏡胴９と第５レンズ群１５を詳細に示す。第３鏡胴９は、内側に突出したレンズ座部２１を有し、レンズ座部２１に第５レンズ群１５が固定されている。第５レンズ群１５は、レンズ座部２１に紫外線により硬化する光硬化性樹脂ｐ１で接着した透光性の正レンズ（第１透光性部材）２２と、正レンズ２２に光硬化性樹脂ｐ２で接着した遮光性の玉枠（遮光性部材）２３と、玉枠２３に固定した負レンズ（第２透光性部材）２４とからなる。また、第３鏡胴９は、正レンズ２２の光軸ｘ方向に直角方向の端面が露出するように設けた３箇所（１箇所は不図示）の投光穴２５が設けられており、投光穴２５を封止する遮光性の粘着テープ（封止部材）２６が貼着されている。
【００２１】
さらに、図４に、第５レンズ群１５を固定する際の第１の工程を示す。先ず、第３鏡胴９のレンズ座部２１の正レンズ２２と光軸ｘ方向に当接する部分に光硬化性樹脂ｐ１を塗布し、正レンズ２２をレンズ座部２１に載置する。正レンズ２２の軸を光軸ｘに合致させるように正レンズ２２を調芯した状態で保持し、図示するように、光軸ｘと平行に紫外線Ｒを照射して、正レンズ２２を透過した紫外線Ｒによって光硬化性樹脂ｐ１を硬化させる（第１接着部２７）。
【００２２】
続いて、図５に示すように、予め負レンズ２４を接着した玉枠２３を正レンズ２２に載置する。このとき、正レンズ２２の玉枠２３と光軸ｘ方向に当接する面上の、投光穴２５から外部から望むことができる端面に隣接する部分に光硬化性樹脂ｐ２を塗布しておく。そして、負レンズ２４の軸を光軸ｘに合致させるように調芯した状態で玉枠２３を保持し、投光穴２５から紫外線Ｒを照射する。こうして、正レンズ２２を透過した紫外線Ｒによって光硬化性樹脂ｐ２を硬化させ、玉枠２３を正レンズ２２に対して接着する（第２接着部２８）。最後に、図３に示すように、第３鏡胴９の外側に、投光穴２５を封止するように粘着テープ２６を貼着する。
【００２３】
以上のように第５レンズ群１５を固定した鏡胴ユニット６は、正レンズ２２および負レンズ２３を調芯して固定するので、光学的精度が高い。また、投光穴２５を設けたことによって光硬化性樹脂ｐ２を硬化するための紫外線Ｒを第３鏡胴９の横方向から照射できるので、第３鏡胴９は径方向に余分な空間を設ける必要がない。これにより、鏡胴ユニット６は光軸ｘ方向の投影面積が小さく小型である。
【００２４】
本実施形態では、レンズ座部２１に正レンズ２２を固定してから、正レンズ２２に負レンズ２４を固定した玉枠２３を固定しているが、負レンズ２４を固定した玉枠２３を正レンズ２２に軸合わせして固定してから、レンズ座部２１の投光穴２５に隣接する部分（第１接着部２７）に光硬化性樹脂ｐ１を塗布し、正レンズ２２をレンズ座部２１に載置して調芯し、投光穴２５から紫外線Ｒを照射することで光硬化性樹脂ｐ１を硬化して正レンズ２２をレンズ座部２１に固定してもよい。
【図面の簡単な説明】
【００２５】
【図１】本発明の第１実施形態のデジタルカメラの正面図。
【図２】図１のデジタルカメラの光軸での断面図。
【図３】図１のデジタルカメラの第３鏡胴および第５レンズ群の断面図。
【図４】図３の第３鏡胴への第５レンズ群の固定の第１の工程を示す断面図。
【図５】図３の第３鏡胴への第５レンズ群の固定の第２の工程を示す断面図。
【図６】従来の鏡胴ユニットの断面図。
【符号の説明】
【００２６】
１  デジタルカメラ（撮像装置）
６  鏡胴ユニット
９  第３鏡胴
１５  第５レンズ群
２１  レンズ座部
２２  正レンズ（第１透光性部材）
２３  玉枠（遮光性部材）
２４  負レンズ（第２透光性部材）
２５  投光穴
２６  粘着テープ（封止部材）
２７  第１接着部
２８  第２接着部
ｐ１  光硬化性樹脂
ｐ２  光硬化性樹脂
【図１】
0004765442.tif 000002
【図２】
0004765442.tif 000003
【図３】
0004765442.tif 000004
【図４】
0004765442.tif 000005
【図５】
0004765442.tif 000006
【図６】
0004765442.tif 000007